(57)【要約】【課題】連結された間仕切を安定させながら、選択された安定脚をパネル板の下部の空間に収納させる間仕切連結システムを提供する。【解決手段】間仕切連結システム１は、隣接する間仕切１０と接続する連結部５を端部に有するパネル板２と、キャスタ４とその端部近傍にキャスタ４が取り付けられた安定部材６とからなる安定脚３と、安定部材６のパネル板２側に固定された座板１３と、パネル板２の安定脚３側であり、座板１３に対向した位置に設けられ、安定脚３の安定部材６がパネル板２と略直交する方向に設置される第１安定脚位置１４と、安定脚３の安定部材６がパネル板２と略平行に設置される第２安定脚位置１５とで、座板１３を選択自在に保持するバネ材１２とを備え、連結された間仕切１０の複数の安定脚３のうちから選択した安定脚３のみを第１の安定脚位置１４に保持させて連結された間仕切１０を安定させる。【選択図】図１
2008248546.tif 000002
【特許請求の範囲】
【請求項１】
複数の間仕切を連結して室内空間を仕切る間仕切連結システムであって、
隣接する間仕切と接続する連結部を端部に有するパネル板と、
キャスタと、その端部近傍にキャスタが取り付けられた安定部材とからなる安定脚と、
安定部材のパネル板側に固定された座板と、
パネル板の安定脚側の底部であって座板に対向した位置に設けられ、安定脚の安定部材がパネル板と略直交する方向に設置される第１の安定脚位置と、安定脚の安定部材がパネル板と略平行に設置される第２の安定脚位置とで、座板を選択自在に保持するバネ材と、を備え、
連結された間仕切の複数の安定脚のうち、少なくとも１つの安定脚は第２の安定脚位置に保持されることを特徴とする間仕切連結システム。
【請求項２】
請求項１に記載の間仕切連結システムにおいて、複数の間仕切を略直線状に連結するときには、連結された複数の安定脚のうち、最外端を除く内側の安定脚は第２安定脚位置に保持されることを特徴とする間仕切連結システム。
【請求項３】
請求項１又は２に記載の間仕切連結システムにおいて、複数の間仕切のうち少なくとも２つの間仕切が略直交して連結するときには、その少なくとも２つの間仕切の安定脚は第２安定脚位置に保持されることを特徴とする間仕切連結システム。
【請求項４】
請求項１乃至３のいずれか１に記載の間仕切連結システムにおいて、間仕切は、安定脚を第２安定脚位置に保持して収納されることを特徴とする間仕切連結システム。
【請求項５】
請求項１乃至４のいずれか１に記載の間仕切連結システムにおいて、座板は、外周部に突起した凸部を有する円形の板であり、バネ材は、両端を支持された板状のバネであり、座板の突起した凸部と嵌合する凹部を有して座板の周囲に設置され、安定脚が第１安定脚位置及び第２安定脚位置であるときに、バネ材の凹部に、対向する座板の凸部を挿入させて保持することを特徴とする間仕切連結システム。
【請求項６】
請求項１乃至４のいずれか１に記載の間仕切連結システムにおいて、座板は、外周部が半筒状に切り落とされた凹部を有する円形の板であり、バネ材は、両端を支持された板状のバネであり、座板の凹部と嵌合する半筒状の凸部を有して座板の周囲に設置され、安定脚が第１安定脚位置及び第２安定脚位置であるときに、バネ材の凸部に、対向する座板の凹部を挿入させて保持することを特徴とする間仕切連結システム。
【請求項７】
請求項１乃至４のいずれか１に記載の間仕切連結システムにおいて、座板は、角部が半筒状に切り落とされた凸部を有する四辺形の板であり、バネ材は、Ｕ字型の形状をした板状のバネであり、その開放端の突出部が一対となって座板の凸部と嵌合するように座板の周囲に設置され、安定脚が第１安定脚位置及び第２安定脚位置であるときに、その一対の突出部の間に、対向する座板の凸部を挿入させて保持することを特徴とする間仕切連結システム。
【請求項８】
請求項１乃至４のいずれか１に記載の間仕切連結システムにおいて、座板は、角部が半筒状に切り落とされた凸部を有する四辺形の板であり、バネ材は、突出部が支持されたＵ字型の形状をした板状のバネであり、その閉鎖端に設けられた凹部が座板の凸部と嵌合するように座板の周囲に設置され、安定脚が第１安定脚位置及び第２安定脚位置であるときに、バネ材の凹部に、対向する座板の凸部を挿入させて保持することを特徴とする間仕切連結システム。
【請求項９】
請求項１乃至８のいずれか１に記載の間仕切連結システムにおいて、パネル板は、パネル板の上部の隅に半筒状に切り落とされた凸部を有する四辺形の板であり、パネル板の連結部は、パネル板の両側面に設けられ、その表面が面ファスナからなる半筒状の凸部であり、連結される間仕切は、半筒状の凸部同士が接触して接続されることを特徴とする間仕切連結システム。
【発明の詳細な説明】
【技術分野】
【０００１】
本発明は、間仕切連結システムに係り、特に、複数の間仕切を連結して室内空間を仕切る間仕切連結システムに関する。
【背景技術】
【０００２】
オフィス、学校施設、会議場、展示場等の室内空間に用いられるパネル状の間仕切は、相互に連結されて任意の空間を仕切る間仕切連結システムを形成する。この間仕切は、収納場所から容易に所定の位置に運搬し、任意の空間を迅速に形成するために、その下端にキャスタが設けられる場合がある。また、薄い板状のパネルから成る間仕切は、その面外への倒れを防止して安定させるために安定脚を設け、その両端にキャスタを取付けるのが一般的である。
【０００３】
図９及び図１０に従来の間仕切連結システムの一つの実施例を示す。図９には間仕切連結システム１００の側面図を、図１０には図９のＥ−Ｅ断面図を示す。本実施例では、一つの間仕切１０１が両隣の間仕切１０１と連結されている状態を示す。間仕切連結システム１００は、パネル板１０２、安定脚１０３、キャスタ１０４、及び連結部１０５を備える複数の間仕切１０１が連結されて構成される。間仕切１０１のパネル板１０２は、その表面にクロス１０７が貼られ、その端部は枠材１０８により保護されている。また、相互に連結される間仕切１０１のそれぞれの両端には連結部１０５が設けられる。さらに、間仕切１０１の下端には、キャスタ１０４及びその両端にキャスタ１０４が取り付いた安定部材１０６から成る安定脚１０３が設けられる。この安定脚１０３は、図１０に示す通しボルト１１によりパネル板１０２に固定される。さらに、安定脚１０３の安定部材１０６は、パネル板１０２と略直交する方向に固定して設置されるのが一般的である。
【０００４】
一方、特許文献１には、パネルに対する安定脚の着脱をワンタッチ動作で行えるようにした、パネルと安定脚の着脱手段が開示されている。ここでは、安定脚の支柱をパネル下端の脚取付孔に嵌挿入し、安定脚を４５度の角度に回転して安定脚を取り外す。
【０００５】
【特許文献１】特開平８−１７７１４７号公報
【発明の開示】
【発明が解決しようとする課題】
【０００６】
間仕切の下部に取付けられる安定脚は、パネル板の面外への倒れを防止するために、一般的にはパネル板と略直交する方向に設置される。このパネル板の面から突出た安定脚は、机等の事務用品の配置の上で空間的な制約となる。また、間仕切の傍を通行する人や運送される荷物にとっては通行や運送の妨げとなる。
【０００７】
特に、間仕切の輸送を容易にするため安定脚にキャスタを取付けた場合には、安定脚のキャスタ同士を連結するために安定部材が必要となる。この安定部材は、床面より一定の高さに設置されるため、間仕切の傍を通行するが足を引っ掛けたり、間仕切の傍を運送する荷物が損傷したりする場合がある。特に、老人、幼児、或いは身体障害者などにとっては危険な存在となる虞がある。
【０００８】
さらに、間仕切を所定の収納場所に収納する際には、安定脚がパネル板の面から突出しているため、その突出した範囲の収納スペースを要する。特に、複数の間仕切を並べて収納する際には、相互の安定脚が邪魔になり空間効率の悪い収納となる。
【０００９】
本願の目的は、かかる課題を解決し、連結された間仕切を安定させながら、選択された安定脚をパネル板の下部の空間に収納させる間仕切連結システムを提供することである。
【課題を解決するための手段】
【００１０】
上記目的を達成するため、本発明に係る間仕切連結システムは、複数の間仕切を連結して室内空間を仕切る間仕切連結システムであって、隣接する間仕切と接続する連結部を端部に有するパネル板と、キャスタと、その端部近傍にキャスタが取り付けられた安定部材とからなる安定脚と、安定部材のパネル板側に固定された座板と、パネル板の安定脚側の底部であって座板に対向した位置に設けられ、安定脚の安定部材がパネル板と略直交する方向に設置される第１の安定脚位置と、安定脚の安定部材がパネル板と略平行に設置される第２の安定脚位置とで、座板を選択自在に保持するバネ材と、を備え、連結された間仕切の複数の安定脚のうち、少なくとも１つの安定脚は第２の安定脚位置に保持されることを特徴とする。
【００１１】
また、間仕切連結システムは、複数の間仕切を略直線状に連結するときには、連結された複数の安定脚のうち、最外端を除く内側の安定脚は第２安定脚位置に保持されることが好ましい。
【００１２】
また、間仕切連結システムは、複数の間仕切のうち少なくとも２つの間仕切が略直交して連結するときには、その少なくとも２つの間仕切の安定脚は第２安定脚位置に保持されることが好ましい。
【００１３】
また、間仕切連結システムは、間仕切が、安定脚を第２安定脚位置に保持して収納されることが好ましい。
【００１４】
また、間仕切連結システムは、座板が、外周部に突起した凸部を有する円形の板であり、バネ材が、両端を支持された板状のバネであり、座板の突起した凸部と嵌合する凹部を有して座板の周囲に設置され、安定脚が第１安定脚位置及び第２安定脚位置であるときに、バネ材の凹部に、対向する座板の凸部を挿入させて保持することが好ましい。
【００１５】
また、間仕切連結システムは、座板は、外周部が半筒状に切り落とされた凹部を有する円形の板であり、バネ材は、両端を支持された板状のバネであり、座板の凹部と嵌合する半筒状の凸部を有して座板の周囲に設置され、安定脚が第１安定脚位置及び第２安定脚位置であるときに、バネ材の凸部に、対向する座板の凹部を挿入させて保持することが好ましい。
【００１６】
また、間仕切連結システムは、座板が、角部が半筒状に切り落とされた凸部を有する四辺形の板であり、バネ材が、Ｕ字型の形状をした板状のバネであり、その開放端の突出部が一対となって座板の凸部と嵌合するように座板の周囲に設置され、安定脚が第１安定脚位置及び第２安定脚位置であるときに、その一対の突出部の間に、対向する座板の凸部を挿入させて保持することが好ましい。
【００１７】
また、間仕切連結システムは、座板が、角部が半筒状に切り落とされた凸部を有する四辺形の板であり、バネ材は、突出部が支持されたＵ字型の形状をした板状のバネであり、その閉鎖端に設けられた凹部が座板の凸部と嵌合するように座板の周囲に設置され、安定脚が第１安定脚位置及び第２安定脚位置であるときに、バネ材の凹部に、対向する座板の凸部を挿入させて保持することが好ましい。
【００１８】
また、間仕切連結システムは、パネル板が、パネル板の上部の隅に半筒状に切り落とされた凸部を有する四辺形の板であり、パネル板の連結部が、パネル板の両側面に設けられ、その表面が面ファスナからなる半筒状の凸部であり、連結される間仕切は、半筒状の凸部同士が接触して接続されることが好ましい。
【発明の効果】
【００１９】
上記構成により、間仕切連結システムは、パネル板の底部に設けられたバネ材が、安定脚に設けられた座板を、安定脚の安定部材がパネル板と略直交する方向に設置される第１の安定脚位置、及びパネル板と略平行に設置される第２の安定脚位置を選択自在に保持する。これにより、安定脚は上記２つの位置に選択されて設置され、間仕切連結システムを安定させるために必要な安定脚以外は第２の安定脚位置にすることが可能となる。その結果、間仕切の傍を通行する人が安定脚に足を引っ掛けたり、間仕切の傍を運送する荷物が安定脚により損傷したりすることを防止できる。
【００２０】
以上のように、本発明に係る間仕切連結システムによれば、連結された間仕切を安定させながら、選択された安定脚をパネル板の下部の空間に収納させることが可能となる。
【発明を実施するための最良の形態】
【００２１】
以下に、図面を用いて本発明に係る実施の形態につき、詳細に説明する。
【００２２】
図１に、間仕切連結システムの１つの実施形態の概略構成を示す。図１は、間仕切連結システム１の一部を透視した斜視図である。間仕切連結システム１を形成する間仕切１０は、パネル板２、パネル板２の下端に取付けられた座板１３、安定脚３、及び安定脚３の上端に取付けられたバネ材１２から構成される。また、パネル板２の表面にはクロス７が貼られ、その周辺は枠材８により保護されている。また、安定脚３は、キャスタ４、及びその端部近傍にキャスタ４が取り付けられた安定部材６から構成される。さらに、図１には、安定脚３の安定部材６が、パネル板２と略直交する方向に設置される第１安定脚位置１４と、安定脚の安定部材６が、パネル板２と略平行に設置される第２安定脚位置１５とが示されている。なお、図１では、間仕切１０の下部、特に座板１３及びバネ材１２を透視して示す。
【００２３】
図１に示す間仕切１０は、パネル板２を相互に連結する連結部５を有する。この連結部５は、その表面が面ファスナからなる半筒状凸部２４であり、パネル板２の両側面に設けられている。そして、連結される間仕切１０は、半筒状凸部２４同士が接触して接続される。従って、間仕切１０同士は、容易に角度をもって相互に接続される。また、パネル板２は、パネル板２の上部の隅に半筒状に切り落とされたパネル板２上部の半筒状凸部２５を有する四辺形の板である。このことから、連結される間仕切１０相互に床面の不陸などによる段差が生じても、オフィスなどの使用者にその段差の存在を意識させない。但し、本実施形態の間仕切１０は、パネル板２上部の半筒状凸部２４がなく、図９に示す一般的なパネル板１０２の形状を有する間仕切１０１であっても良い。
【００２４】
図２を用いて、安定脚３が、第１安定脚位置１４及び第２安定脚位置１５に設置される場合について説明する。なお、図２は、間仕切１０の下部について座板１３及びバネ材１２を透視して示した図である。図２（ａ）は、図１のＡ−Ａ断面図であり、安定脚３の安定部材６が第１安定脚位置１４である場合を示し、図２（ｂ）は、図１のＢ−Ｂ断面であり、安定脚３の安定部材６が第２安定脚位置１５である場合を示す。安定脚３が第１安定脚位置１４である場合には、安定脚３により間仕切１０のパネル板２の面外方向への倒れを防止して間仕切１０を安定させる。安定脚３が第２安定脚位置１５である場合には、安定脚３は間仕切１０のパネル板２の下部の空間に収納され、間仕切１０の傍を通行する人が足を引っ掛けたり、間仕切１０の傍を運送する荷物が損傷したりすることを防止する。この安定脚３の安定部材６は、本実施形態では円形鋼管から成るが、例えば、角形鋼管、チャンネル材、平板を曲げ加工した部材などであっても良い。
【００２５】
この安定脚３は、図２に示すバネ材取付けプレート１６に取付けられたバネ材１２と、このバネ材１２に対向し、安定部材６に取付けられた座板１３とにより、第１安定脚位置１４及び第２安定脚位置１５において保持される。また、図２の矢印に示すように、安定脚３は時計回り及び反時計回りに自在に回転する。この安定脚３は、手を用いるまでもなく、間仕切１０を床の上に立てたまま足などにより容易に回転させることができる。以下、安定脚３の保持及び回転機構を詳細に説明する。
【００２６】
図３に、安定脚３の保持及び回転機構についての第１実施例を示す。図３（ａ）は、図２のＣ−Ｃ断面である。また、図３（ｂ）は、図３（ａ）のＤ−Ｄ断面である。図３（ａ）及び図３（ｂ）に示すように、安定部材６のパネル板２側にはステンレス鋼等からなる座板１３が設置される。図３（ｂ）に示すように、座板１３は、円形の板のうち２つの直交する中心軸に突起した４箇所の凸部４１を有する。この座板１３には、２箇所に突起部１８が取付けられ、安定部材６に設けられた孔に嵌め込まれる。これにより座板１３が安定部材６に固定される。また、安定部材６は、座板１３中央に設けられた通しボルト孔２９を貫通する通しボルト１１及び固定ナット（図示せず）によりパネル板２と接続する。このように、座板１３は安定部材６と一体になって通しボルト１１を軸として回転する。
【００２７】
また、図３（ｂ）に示すように、パネル板２の底部において、バネ材取付けプレート１６が皿ネジ１７によりパネル板２に取付けられる。バネ材取付けプレート１６は、その長手方向の端部において、立ち上げられたプレートからなる目隠し板２０を有する。また、２つのバネ材１２が、それぞれ２箇所のバネ材取付部１９においてスポット溶接によりバネ材取付けプレート１６に取付けられる。このバネ材１２は、ステンレス鋼等からなる板状のバネであり、座板１３の凸部４１と嵌合する凹部４２を有する。そして、バネ材１２の凹部４２は、安定部材６が、図３（ｂ）に示す第２安定脚位置１５にある場合に、座板１３の中心軸上にある２箇所の凸部４１と嵌合して座板１３を保持する。また、バネ材１２の凹部４２は、安定部材６が、第１安定脚位置１４にある場合には、座板１３の他の中心軸上にある２箇所の凸部４１と嵌合して座板１３を保持する。このバネ材１２は、その両端においてバネ材取付けプレート１６に支持されることからいわゆる単純梁となる。このため、バネ材１２は、安定脚３が第１安定脚位置１４及び第２安定脚位置１５にある場合には、座板１３に押されて座板１３と反対側に変形する。つまり、バネ材１２は、回転された座板１３と嵌合するとその復元力により座板１３を保持して外れないように押さえ込む。また、安定脚位置１４，１５を変換するために安定脚３を回転させた場合には、座板１３に加えられた回転力により、バネ材１２が座板１３と反対側に押され、両者の嵌合状態が外れる。そして、座板１３の突出した凸部４１がバネ材１２の凹部４２から滑り出て、座板１３の回転が生じる。
【００２８】
このように、本実施例は、座板１３に対して両端を支持された単純梁である２枚のバネ材１２により挟み込み、座板１３が回転することで発生するバネ材１２の撓みによる復元力を利用した安定脚３の保持及び回転機構である。
【００２９】
図４に、安定脚３の保持及び回転機構についての第２実施例を示す。図４では、図３（ｂ）と同様な方向から見た断面図のみを示す。なお、上記第１実施例と同一の構成には同一の符号を付し、その説明を省略する。本第２実施例が上記第１実施例と異なる点は、座板２３が、外周部が半筒状に切り落とされた凹部４３を有する円形の板である点、及びバネ材取付けプレート２６に取付けられたバネ材２２が、座板２３の凹部４３と嵌合する半筒状の凸部４４を有している点である。このことにより、バネ材２２は、それぞれ両端の２点のバネ材取付部１９で支持され、いわゆる単純梁となる。このため、バネ材２２は、安定脚３が第１安定脚位置１４及び第２安定脚位置１５にある場合には、座板２３に押されて座板２３と反対側に変形する。つまり、バネ材２２は、回転された座板２３と嵌合するとその復元力により座板２３を保持して外れないように押さえ込む。また、安定脚位置１４，１５を変換するために安定脚３を回転させた場合には、座板２３に加えられた回転力により、バネ材２２が座板２３と反対側に押され、両者の嵌合状態が外れる。そして、座板２３の筒状の凹部４３がバネ材２２の凸部４４から滑り出て、座板２３の回転が生じる。
【００３０】
このように、本実施例は、座板２３に対して両端を支持された単純梁である２枚のバネ材２２により挟み込み、座板２３が回転することで発生するバネ材２２の撓みによる復元力を利用した安定脚３の保持及び回転機構である。
【００３１】
図５に、安定脚３の保持及び回転機構についての第３実施例を示す。図５では、図３（ｂ）と同様な方向から見た断面図のみを示す。なお、上記第１実施例と同一の構成には同一の符号を付し、その説明を省略する。本実施例では、座板３３は、ステンレス鋼等からなる四辺形の板であり、角部が半筒状に切り落とされた凸部４５を有する。また、バネ材３２は、Ｕ字型をなし、そのＵ字の開放端の２つの突出部４６が一対となって座板３３の凸部４５と嵌合する。そして、このバネ材３２は、Ｕ字の略平行な部分にあるバネ材取付部１９においてスポット溶接によりバネ材取付けプレート３６に取付けられる。また、バネ材３２は、安定脚３が第１安定脚位置１４及び第２安定脚位置１５のある場合には、座板３３に押され、Ｕ字が開く方向に変形をする。従って、バネ材３２は、座板３３と嵌合するとその閉じようとする復元力により座板３３を保持して外れないように押さえ込む。また、安定脚位置１４，１５を変換するために安定脚３を回転させた場合には、座板３３に加えられた回転力によりバネ材３２が開くことで両者の嵌合状態が外れる。そして、座板３３の突出した凸部４５が一対のバネ材３２の突出部４６の間から滑り回転する。
【００３２】
このように、本実施例は、座板３３に対してバネ材３２の開放端の突出部４６により挟み込み、座板３３が回転することで発生する突出部４６の開閉による復元力を利用した安定脚３の保持及び回転機構である。
【００３３】
図６に、安定脚３の保持及び回転機構についての第４実施例を示す。図６では、図３（ｂ）と同様な方向から見た断面図のみを示す。なお、上記第１実施例と同一の構成には同一の符号を付し、その説明を省略する。本実施例では、座板３３は、ステンレス鋼等からなる板であり、角部が半筒状に切り落とされた凸部４５を有する。また、バネ材５２は、Ｕ字型をしており、そのＵ字の閉鎖端に座板３３の凸部４５と嵌合する凹部４７を有している。そして、このバネ材５２は、Ｕ字の両方の先端部４８のバネ材取付部１９においてスポット溶接によりバネ材取付けプレート４６に取付けられる。すなわち、バネ材５２は、２つのバネ材取付部１９で支持される単純梁の弾性挙動と、バネ材取付部１９により固定された片持梁の弾性挙動とを併せ持つ。そして、安定脚３が第１安定脚位置１４及び第２安定脚位置１５にある場合には、バネ材５２は、主に単純梁として挙動し、座板３３に押されて変形する。従って、バネ材５２は、座板３３と嵌合すると、その復元力により座板３３を保持して外れないように押さえ込む。また、安定脚３を安定脚位置１４，１５に変換するため安定脚３を回転させる場合には、その座板３３に加えられた回転力により、主に片持梁として挙動し、バネ材５２が撓むことで両者の嵌合状態が外れる。そして、座板３３の突出した凸部４５がバネ材５２の凹部４７から滑り出て、座板３３の回転が生じる。
【００３４】
このように、本実施例は、座板３３が回転することで、片持梁として挙動するバネ材５２の先端が曲げられることによる復元力と、単純梁として挙動するバネ材５２の中央が押されることによる復元力と、を複合的に利用した安定脚３の保持及び回転機構である。
【００３５】
次に、間仕切連結システム１の適用例を説明する。図７に間仕切１０を連結させた間仕切連結システム１の実施例における安定脚位置１４，１５の適用について示す。図７（ａ）は、３枚の間仕切１０が直線状に接続された場合である。この場合には、間仕切連結システム１全体の安定脚３のうち、少なくとも1つの安定脚３は第２安定脚位置１５に保持することができる。つまり、連結された間仕切連結システム１を面外方向に安定させるために選択された安定脚３を第１安定脚位置１４にすれば、それ以外の安定脚３は第２安定脚位置１５とすることができる。例えば、図７（ａ）の例では、両端の安定脚３のみを第１安定脚位置１４とし、その他の安定脚３は第２安定脚位置１５とすることで連結された間仕切連結システム１を安定させることができる。
【００３６】
また、連結された間仕切連結システム１において、２つの間仕切１０が略直交して連結するときには、その少なくとも２つの間仕切１０の安定脚３は第２安定脚位置１５に保持することができる。例えば、図７（ｂ）に示すように、間仕切１０がＬ字状に連結されている場合には、間仕切１０同士が相互に支え合うため、全ての安定脚３を第２安定脚位置１５にすることも可能である。
【００３７】
図８には、間仕切１０を連結させた他の間仕切連結システム１の実施例における安定脚位置１４，１５の適用について示す。上述したように、本発明に係る間仕切連結システム１では、間仕切１０同士は、容易に角度をもって相互に接続できる。例えば、図８のように、３つの間仕切１０を相互に略１２０度の角度で接続することも可能である。この場合には、３枚の間仕切１０は相互に支え合うため、全ての安定脚３を第２安定脚位置１５にすることも可能である。
【図面の簡単な説明】
【００３８】
【図１】本発明に係る間仕切連結システムの１つの実施形態の概略構成を示す一部を透視図とした斜視図である。
【図２】安定脚が第１安定脚位置及び第２安定脚位置に設置される場合について説明する透視された平面図である。
【図３】安定脚の保持及び回転機構についての第１実施例を示す透視された平面図及び断面図である。
【図４】安定脚の保持及び回転機構についての第２実施例を示す断面図である。
【図５】安定脚の保持及び回転機構についての第３実施例を示す断面図である。
【図６】安定脚の保持及び回転機構についての第４実施例を示す断面図である。
【図７】間仕切を連結させた間仕切連結システムの実施例における安定脚位置を示す説明図である。
【図８】間仕切を連結させた他の間仕切連結システムの実施例における安定脚位置を示す説明図である。
【図９】従来の間仕切連結システムの一つの実施例を示す側面図である。
【図１０】図９のＥ−Ｅ断面図である。
【符号の説明】
【００３９】
１，１００  間仕切連結システム、２，１０２  パネル板、３，１０３  安定脚、４，１０４  キャスタ、５，１０５  連結部、６，１０６  安定部材、７，１０７  クロス、８，１０８  枠材、１１  通しボルト、１０，１０１  間仕切、１２，２２，３２，５２  バネ材、１３，２３，３３  座板、１４  第１安定脚位置、１５  第２安定脚位置、１６，２６，３６，４６  バネ材取付けプレート、１７  皿ネジ、１８  突起部、１９  バネ材取付部、２０  目隠し板、２４  パネル板端部の半筒状凸部、２５  パネル板上部の半筒状凸部、２９  通しボルト孔、４１，４５  座板凸部、４２，４７  バネ材凹部、４３  座板凹部、４４  バネ材凸部、４６  突出部、４８  Ｕ字先端部。
【図１】
2008248546.tif 000003
【図２】
2008248546.tif 000004
【図３】
2008248546.tif 000005
【図４】
2008248546.tif 000006
【図５】
2008248546.tif 000007
【図６】
2008248546.tif 000008
【図７】
2008248546.tif 000009
【図８】
2008248546.tif 000010
【図９】
2008248546.tif 000011
【図１０】
2008248546.tif 000012